(57)【特許請求の範囲】
【請求項１】
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記パネル本体の前記第２面部には、前記側方水密部材の内方に隣接して当該側方水密部材よりも小さい突出寸法の当接部材が高さ方向に亘って設けてあり、
前記当接部材の前面はズレ止め部材から形成されており、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を圧縮状態で前記縦枠の室外側見付面に圧接し、前記当接部材の前記ズレ止め部材が前記室外側見付面に圧接した状態で、建物開口部の室外側下方部位に取り付けられる、
止水パネルの取付構造。
【請求項２】
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記パネル本体の前記第２面部には、前記側方水密部材の内方に近接して、前記可撓性長尺部のガイド受部が設けてあり、前記ガイド受部の内方に離間して、前記締め具が設けてあり、
前記可撓性長尺部は、前記締め具と前記ガイド受部間で前記第２面部に沿って開口幅方向に延びる第１部分と、前記ガイド受部を介して前記第２面部から離間する方向に延びる第２部分と、からなり、
前記第２部分に前記掛止部の第１片が連結されており、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を前記縦枠の室外側見付面に圧接した状態で、建物開口部の室外側下方部位に取り付けられる、
止水パネルの取付構造。
【請求項３】
前記ガイド受部は、前記パネル本体の開口幅方向に沿って前記第１部分の案内空間を形成する第１ガイド部と、前記第１ガイド部の前記締め具から離間した側の端部に前記第２面部から離間する方向に突成した第２ガイド部と、を備え、
前記第２面部に設けた前記締め具から開口幅方向に延びる前記第１部分は、前記案内空間を通って延び、前記第２ガイド部に案内されて引き出されて前記第２部分となる、
請求項２に記載の止水パネルの取付構造。
【請求項４】
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記第１片と第２片とからＬ形状に形成された掛止部において、
前記第２片は、前記第１片を通る面に対して第１側に延びており、
前記第１片の先端部は、前記面に対して第２側に傾斜しており、
前記第２片の基端部は、前記面を越えて第２側に延びており、
前記第１片の先端部と前記第２片の基端部が接続されており、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を前記縦枠の室外側見付面に圧接した状態で、建物開口部の室外側下方部位に取り付けられる、
止水パネルの取付構造。
【請求項５】
請求項１〜４いずれか１項に記載の止水パネルの取付構造を備えた建物開口部の水密構造であって、
前記建物開口部は、スライド式の２枚の扉体によって開閉され、
各扉体は、建物開口部の室内側に位置して開口幅方向に移動するようになっており、
前記縦枠の前記室内側見付面に当接した前記掛止部の第２片と、前記扉体の移動経路と、の間には隙間が存在しており、
止水パネルを取り付けた状態で、扉体が開閉可能である、
水密構造。
【請求項６】
請求項１〜４いずれか１項に記載の止水パネルの取付構造を備えた建物開口部の水密構造であって、
前記建物開口部は、両開き戸を構成する２枚の扉体によって開閉され、
各扉体は、開口幅方向に延び、戸尻側見込面が建物開口部の左右の縦枠の見込面に近接対向した閉鎖姿勢と、扉体の戸先側部位が開口幅方向に対して垂直状に室内側に向かって延びる開放姿勢と、の間で回動可能となっており、
前記縦枠の前記見込面に当接した前記掛止部の第１片と、閉鎖姿勢にある前記扉体の戸尻側見込面と、の間には隙間が存在しており、
前記側方水密部材を、パネル本体の前記第２面部に設けたスペーサを介して室内側に持ち出し状に設けることで、前記第２面部と前記建物開口部との間には、前記扉体の戸尻側部位の回動スペースが形成されており、
前記スペーサの下面には、前記側方水密部材の下端部と前記下方水密部材の長さ方向端部との間の空間を塞ぐように中間下方水密部材が設けてあり、
止水パネルを取り付けた状態で、扉体が開閉可能である、
水密構造。
【発明の詳細な説明】
【技術分野】
【０００１】
本発明は、止水パネルの取付構造に係り、詳しくは、建物開口部の下方部位に取り付けて防水構造を構成する止水パネルの取付構造に関するものである。
【背景技術】
【０００２】
建物開口部を開閉する扉装置は、室内への雨水の浸入を防止する機能を備えているが、台風等による集中豪雨や局所的な豪雨（いわゆるゲリラ豪雨）が発生した場合の増水時には、建物開口部と、閉鎖姿勢の扉体と、の隙間から建物内への浸水のおそれがある。
【０００３】
建物外部の水が建物内に浸水するのを防ぐ要素として、止水パネルないし防水板を取り付けることが提案されているが（特許文献１、２参照）、より簡易な構造でより低コストの止水パネルを用いて、より迅速に止水パネルを取り付けて防水構造を得たいという要望がある。
【特許文献１】特許第４８１００５９号
【特許文献２】特許第５６９４０５４号
【発明の開示】
【発明が解決しようとする課題】
【０００４】
本発明は、所望の水密性能を有するものでありながら、構造が簡単で低コストであり、取付作業性が良好な止水パネルの取付構造を提供することを目的とするものである。
【課題を解決するための手段】
【０００５】
本発明が採用した技術手段は、
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を前記縦枠の室外側見付面に圧接した状態で、建物開口部の室外側下方部位に取り付けられる、
止水パネルの取付構造、である。
１つの態様では、前記側方水密部材の下端と前記下方水密部材の下端は略一致しており、前記側方水密部材の下端部と前記下方水密部材の長さ方向端部は、少なくとも止水パネルが取り付けられた状態において密着している（取付前の状態で密着していてもよい）。
１つの態様では、前記下方水密部材は下方部位を残して当接片（垂下片１１０）によって室内側から支持されており、前記下方水密部材の圧接時には、前記当接片の下端は床面から離間している。
１つの態様では、前記第１片と第２片とからＬ形状に形成された掛止部において、
前記第２片は、前記第１片を通る面に対して第１側に延びており、
前記第１片の先端部は、前記面に対して第２側に傾斜しており、
前記第２片の基端部は、前記面を越えて第２側に延びており、
前記第１片の先端部と前記第２片の基端部が接続されている。
【０００６】
１つの態様では、前記パネル本体の前記第２面部には、前記側方水密部材の内方（パネル本体端部から離間する側）に隣接して当該側方水密部材よりも小さい突出寸法の当接部材が高さ方向に亘って設けてあり、
前記当接部材の前面はズレ止め部材から形成されており、
前記止水パネルは、前記側方水密部材が圧縮状態で前記室外側見付面に圧接し、前記当接部材の前記ズレ止め部材が前記室外側見付面に圧接した状態で、取り付けられている。
１つの態様では、前記当接部は、非弾性部材からなるベースと、前記ベースの前面に設けたズレ止め弾性部材と、からなる。
【０００７】
１つの態様では、前記パネル本体の前記第２面部には、前記側方水密部材の内方に近接して、前記可撓性長尺部のガイド受部が設けてあり、前記ガイド受部の内方に離間して、前記締め具が設けてあり、
前記可撓性長尺部は、前記締め具と前記ガイド受部間で前記第２面部に沿って開口幅方向に延びる第１部分と、前記ガイド受部を介して前記第２面部から離間する方向に延びる第２部分と、からなり、
前記第２部分に前記掛止部の第１片が連結されている。
前記側方水密部材の内方に隣接して当接部材を設けた態様では、前記ガイド受部は、前記当接部材の内方に近接して設けられる。
【０００８】
１つの態様では、前記ガイド受部は、前記パネル本体の開口幅方向に沿って前記第１部分の案内空間を形成する第１ガイド部（プレート６００）と、前記第１ガイド部の前記締め具から離間した側の端部に前記第２面部から離間する方向に突成した第２ガイド部（ガイド片６０１、６０１´）と、を備え、
前記第２面部に設けた前記締め具から開口幅方向に延びる前記第１部分は、前記案内空間を通って延び、前記第２ガイド部に案内されて引き出されて前記第２部分となる。
後述する実施形態では、前記第２面部には、少なくとも、前記ガイド受部に位置して開口が形成されており、
前記案内空間は、前記開口を跨ぐように設けたプレート（第１ガイド部）によって形成されており、
前記第２ガイド部は、前記プレートのパネル本体の開口幅方向端部側（前記締め具から離間した側）に形成したガイド片であり、
前記第２面部に設けた前記締め具から開口幅方向に延びる前記第１部分は、前記プレートの裏側を通って、前記ガイド片に案内されて引き出されて第２部分となる。
１つの態様では、前記第１部分の締め具側は第２面部の外側に位置しており、前記第１部分のガイド受部側は第２面部の内側に位置している。
なお、パネル本体の第２面部に開口を備えない場合には、前記第１ガイド部は、前記第２面部との間に前記第１部分の案内空間を形成するものでもよい。より具体的な例では、ガイド受部を、パネル本体の第２面部に装着した状態で、内壁の一部が前記第２面部に対向し、両端が開口状の筒状部ないし箱状部を形成するように構成し、前記筒状部ないし箱状部の中空部から前記案内空間を形成し、前記筒状部ないし箱状部の一方の端部（締め具から離間する側）には、前記第２面部から離間する方向に第２ガイド部を一体的に突成させる。
【０００９】
１つの態様では、前記建物開口部は、スライド式の２枚の扉体によって開閉され、
各扉体は、建物開口部の室内側に位置して開口幅方向に移動するようになっており、
前記縦枠の前記室内側見付面に当接した前記掛止部の第２片と、前記扉体の移動経路と、の間には隙間が存在しており、
止水パネルを取り付けた状態で、扉体が開閉可能である。
【００１０】
１つの態様では、前記建物開口部は、両開き戸を構成する２枚の扉体によって開閉され、
各扉体は、開口幅方向に延び、戸尻側見込面が建物開口部の左右の縦枠の見込面に近接対向した閉鎖姿勢と、扉体の戸先側部位が開口幅方向に対して垂直状に室内側に向かって延びる開放姿勢と、の間で回動可能となっており、
前記縦枠の前記見込面に当接した前記掛止部の第１片と、閉鎖姿勢にある前記扉体の戸尻側見込面と、の間には隙間が存在しており、
前記側方水密部材（当接部材を有する態様では、当該当接部材）を、パネル本体の前記第２面部に設けたスペーサを介して室内側に持ち出し状に設けることで、前記第２面部と前記建物開口部との間には、前記扉体の戸尻側部位の回動スペースが形成されており、
前記スペーサの下面には、前記側方水密部材の下端部と前記下方水密部材の長さ方向端部との間の空間を塞ぐように中間下方水密部材が設けてあり、
止水パネルを取り付けた状態で、扉体が開閉可能である。
１つの態様では、前記側方水密部材の下端と前記下方水密部材の下端と前記中間下方水密部材の下端は略一致しており、前記側方水密部材の下端部と前記中間下方水密部材の一方の側端部、及び、前記下方水密部材の長さ方向端部と前記中間下方水密部材の他方の側端部は、少なくとも止水パネルが取り付けられた状態において密着している（取付前の状態で密着していてもよい）。
１つの態様では、前記中間下方水密部材は下方部位を残して当接片（垂下片９６１）によって室内側から支持されており、前記中間下方水密部材の圧接時には、前記当接片の下端は床面から離間している。
【発明の効果】
【００１１】
本発明に係る止水パネルは、パネル本体と、左右の側方水密部材、下方水密部材、及び左右の固定手段からなり、シンプルな構造でありながら、既設の建物開口部の左右の縦枠を利用して建物開口部の室外側の下方部位に簡単に取り付けて水密構造を得ることができる。
【００１２】
本発明では、止水パネルを取り付けた状態において、当接部材のズレ止め部材が建物開口部の左右の縦枠の室外側見付面に圧接されることで、止水パネルの持ち上がりを可及的に防止し、止水パネルの下方水密部材と床面との水密状態を維持する。
【００１３】
本発明では、止水パネル設置後においても、扉体の開閉が可能であり、水密構造を維持した状態で、建物開口部からの出入りが可能である。
【図面の簡単な説明】
【００１４】
【図１】本実施形態に係る止水パネルの上面図及び正面図（室内側面部）である。正面図において、固定手段の掛止部は省略されている。
【図２】図１の上面図の部分拡大図である。固定手段の部分については、便宜上、上面ではなくパネル本体内部を示している。
【図３】図１の正面図の部分拡大図である。
【図４】本実施形態に係る止水パネルの縦断面図である。
【図５】止水パネルの固定手段を示す図である。下図は、上図を矢視方向から見た図である。
【図６】止水パネルの固定手段のベルト受け部を示す図である。
【図７】止水パネル本体を構成する上側半部と下側半部の接続部を示す図である。
【図８】本実施形態に係る止水パネルの第１の取付態様を示す室外側から見た正面図である。
【図９】本実施形態に係る止水パネルの第１の取付態様を示す平面図である。上図は、止水パネルが取り付けられた状態であって、ベルトは緊張状態にあり、下図は、止水パネルが取り付けられる前の状態であって、ベルトは弛んだ状態にある。
【図１０】図９の部分拡大図である。
【図１１】本実施形態に係る止水パネルの第２の取付態様を示す室外側から見た正面図である。
【図１２】上図は、側方水密部材が圧縮される前の状態を示す図、下図は、本実施形態に係る止水パネルの第２の取付態様を示す平面図であり、上図に示す側方水密部材が圧縮状態にある。
【図１３】図１２下図の部分拡大図である。
【図１４】他の実施形態に係る止水パネルの部分拡大正面図である。
【図１５】（Ａ）図１４に示す止水パネルのＡ矢視の側面図である。（Ｂ）図１４に示す止水パネルのＢ矢視の縦断面図である。（Ｃ）図１４に示す止水パネルのＣ矢視の縦断面図である。
【図１６】他の実施形態に係る止水パネルの部分拡大平面図であり、主として固定手段を構成する掛止部を示す。
【図１７】図１６に示す掛止部が縦枠に掛止した状態を示す図である。
【図１８】図１０に類似の図であり、他の実施形態に係る止水パネルの第１の取付態様を示す。
【図１９】図１３に類似の図であり、他の実施形態に係る止水パネルの第２の取付態様を示す。
【図２０】図１９に示す止水パネルの部分底面図である。
【図２１】（Ａ）図１９に示す止水パネルの側面図（パネル側面の塞ぎ要素を取り外した状態）である。（Ｂ）図１９（Ａ）に示すスペーサのＤ矢視の縦断面図である。
【発明を実施するための形態】
【００１５】
本発明の実施形態を図面に基づいて説明する。図１に示すように、止水パネルは、開口幅方向に横長の長方形のパネル本体１からなる。パネル本体１は、建物開口部に設置した時に室外側に面する第１面部１０と、第１面部１０を反対側の第２面部１１と、上面１２と、下面１３と、左右の側面１４と、を備えており、第２面部１１を室内側に向けて、建物開口部に取り付けられる。パネルの側面１４には、塞ぎ要素１４０（図２参照）によって密閉されており、側面の隙間から水が浸入しないようにコーティングされている。パネル本体１の上面１２には取手１２０が設けてある。
【００１６】
パネル本体１の幅寸法は、止水パネルが設置される開口幅寸法よりも幾分（例えば＋１００ｍｍ）大きい寸法を備えている。パネル本体１は、想定水位（例えば、床面から４００ｍｍ）よりも大きい高さ寸法（例えば、５００ｍｍ）を備えている。図示の態様では、パネル本体１は、低背の２枚のパネル１Ａ、１Ｂを高さ方向に重ねて連結することで構成されている。パネル１Ａの下端とパネル１Ｂの上端との間には全幅に亘って防水テープ１５が設けてあり（図７参照）、パネル本体１の正面（高さ方向中央部位）からの水の浸入が防止されている。図示の態様では、パネル１Ａ、１Ｂの２部材を高さ方向に連結してパネル本体１を形成しているが、パネル本体１を一部材から一体的に形成してもよい。
【００１７】
図１、図３に示すように、パネル本体１の第２面部１１は、高さ方向の２箇所（各パネル１Ａ、１Ｂの高さ方向中間部位）において幅方向に亘って切り欠かれており横長の開口１６が形成されている。図示の態様では、パネル本体１の第２面部１１に開口１６を形成しているが、第２面部１１は開口を備えていなくてもよい。
【００１８】
第２面部１１の幅方向両端部には、全高に亘って側方水密部材２が突設されている。パネル本体１の下面１３には、全幅に亘って下方水密部材３が設けてある。止水パネルは、幅方向両端の側方水密部材２及び下端の下方水密部材３によって三方において水密部材を設けてある。本実施形態では、側方水密部材２、下方水密部材３は、シリコーンスポンジから形成されているが、その他、クロロプレンゴム、ＥＰＤＭ等から形成してもよい。側方水密部材２、下方水密部材３は、弾性部材であり、止水パネルの取付時の押圧力である程度圧縮され、圧縮状態で後述する縦枠１９の第１見付面１９０、床面ＦＬに密着して水密構造を提供する。
【００１９】
第２面部１１の幅方向両端部には、側方水密部材２の内側（開口幅方向端部から離間する側）に隣接して、側方水密部材２よりも低い突出寸法の当接部材４が突設されている。当接部材４は、第２面部１１に固定されたベース（本実施形態では、アルミ角材）４０と、ベース４０の前面に設けたズレ止め部材（本実施形態では、ズレ止め緩衝ゴム）４１からなる。ズレ止め部材４１は、後述する縦枠１９の第１見付面１９０に圧接ないし密着した時に、密着力ないし摩擦力によって、縦枠１９の第１見付面１９０に対する止水パネルの持ち上がりを防止する。ズレ止め部材４１は典型的には弾性を備えているが、当接部材４のベース４０は非弾性部材であり、取り付け時の押圧力によって圧縮されない。
【００２０】
止水パネルは、パネル本体１に設けた固定手段５によって、建物開口部の下方部位に室外側から取り付けられる。図２、図５に示すように、固定手段５は、帯状のベルト６と、ベルト６の第１端部に設けた掛止部７と、ベルト６の第２端部に設けた締め具８と、からなる。
【００２１】
図１に示すように、止水パネルは、各左右端部に上下に離間して合計４つの固定手段５を備えている。なお、固定手段５は、少なくとも左右に１つずつあればよく、その数は４つに限定されない。固定手段５は、第２面部１１の横長の開口１６に位置して設けてある。より具体的には、締め具８の取付ベース８０は、パネル本体１の幅方向端部から内側に離間した位置で開口１６を跨ぐように第２面部１１に取り付けられており、第２端部が締め具８に連結されたベルト６は、締め具８から開口１６に沿ってパネル本体１の幅方向端部に向かって延びている。第２面部１１の幅方向端部に近い部位には、当接部材４に隣接して、開口１６を跨ぐようにベルトのガイド受部６０が固定されており、締め具８から開口１６に沿って水平方向にパネル本体１の幅方向端部に向かって延びるベルト６は、ベルトのガイド受部６０によって折り曲げられて変向して第２面部１１から離間するように延びるようになっている。
【００２２】
図６に示すように、ベルトのガイド受部６０は、方形状のプレート６００からなり、開口１６を跨ぐように第２面部１１に固定され、締め具８から離間する側の縁部には凹状の切り欠き部が形成され、凹部の底側には、第２面部１１から離間するようにプレート６００から湾曲状に立ち上がるガイド片６０１が形成されている。
【００２３】
ベルト６は、締め具８からパネル本体１の幅方向端部に向かって、横長の開口１６に沿ってパネル本体１の幅方向に延び、ベルトのガイド受部６０のプレート６００の裏側を通って、ガイド片６０１に掛け回され、ガイド片６０１によって、パネル本体１の第２面部１１から離れる方向に引き出されて延びる。なお、ベルト６の長さは現場において調整可能となっている。
【００２４】
ベルト６の第１端部に連結された掛止部７は、基端がベルト６の第１端部に連結された第１片７０と、第１片７０の先端（基端とは反対側）から第１片７０に対して垂直状に延びる第２片７１と、からＬ形状に形成されており、いわば引掛金具を構成している。第１片７０、第２片７１は共に所定幅を備えた板状体であり、第２片７１の内面には、滑り止め要素（本実施形態では、滑り止めゴム）７２が設けてある。なお、第１片７０と第２片７１の角度を９０度よりも僅かに鋭角にして、第１片７０が見込面１９２に対してより密着するようにしてもよい。
【００２５】
本実施形態では、締め具８は、いわゆるキャッチクリップであり、第２面部１１に固定された取付ベース８０と、支軸（図示せず）を介して取付ベース８０に回動可能に連結された回動操作レバー８１と、一端が回動操作レバー８１に連結され、他端がベルト６の第２端部に連結されたアーム８２と、アーム８２に外装したコイルスプリング８３と、を備えており、回動操作レバー８１は、第２面部１１に近接対向した第１姿勢と、第２面部１１に対して垂直状の第２姿勢との間で回動可能である。このようなキャッチクリップ自体は公知であるので、さらなる詳細な説明は省略する。回動操作レバー８１を第２姿勢から第１姿勢とすることで、ベルト６を引っ張って緊張状態で締め付けるようになっている。また、ベルト６の弛みを可及的に防止するためには、締め具８をパネル本体１の端部になるべく近づけて配置することが有利である。
【００２６】
図８〜図１０を参照しつつ、本実施形態に係る止水パネルの第１の取付態様について説明する。第１の取付態様において、止水パネルは、２枚のスライド扉体１７からなる自動ドアによって開閉される建物開口部の下方部位の室外側に設置される。建物開口部は、左右の壁ないし固定パネル１８の端部に設けた左右の縦枠１９間に形成されている。縦枠１９は、断面視方形状を有しており、室外側に面する第１見付面１９０、第１見付面１９０と反対側の第２見付面１９１、見込面１９２を備えている。
【００２７】
２枚の扉体１７は、開口幅方向にスライド移動して建物開口部を開閉する。図８、図９に示すように、建物開口部全閉状態では、２枚の扉体１７の戸先側縦框１７０が接触しており、図１０上図に示すように、各扉体１７の戸尻側縦框１７１の室外側見付面１７１０と、縦枠１９の第２見付面１９１が、隙間を存して対向離間している。建物開口部全開状態では、各扉体１７は左右の固定パネル１８に沿って収納されることで、各扉体１７の戸先側縦框１７０の室外側見付面１７００と、縦枠１９の第２見付面１９１は、隙間を存して対向離間することになる。
【００２８】
止水パネルのパネル本体１は、建物開口部の開口幅寸法よりもやや大きい幅寸法を備えており、建物開口部の室外側に位置して、左右の縦枠１９間に取り付けられる。止水パネルは、下面１３の下方水密部材３を床面ＦＬに圧接した状態で、第２面部１１の幅方向両端部に設けた側方水密部材２を、建物開口部左右の縦枠１９の第１見付面１９０に当接させ（この状態では、当接部材４と第１見付面１９０は離間している）、固定手段５の掛止部７の第１片７０を縦枠１９の見込面１９２に当接ないし近接させると共に、第２片７１を縦枠１９の第２見付面１９１に当接させることで、当該掛止部７を縦枠１９の室内側の角部に掛止させた状態（この時、ベルト６は緩んでいる）とし、その状態から、留め具８の回動操作レバー８１を回動して、ベルト６を引っ張って緊張状態に締め付けて固定する。
【００２９】
掛止部７が縦枠１９の室内側の角部（第２見付面１９１と見込面１９２）に掛止した状態で、ベルト６を引っ張ることで、縦枠１９に対してパネル本体１が押圧され、側方水密部材２は縦枠１９の第１見付面１９０に圧接され、側方水密部材２が圧縮されることで、第２面部１１に側方水密部材２に隣接して設けた当接部材４のズレ止め部材４１が縦枠１９の第１見付面１９０に圧接される（図１０上図参照）。止水パネルを取り付けた状態において、当接部材４のズレ止め部材４１が縦枠１９の第１見付面１９０に圧接されることで、止水パネルの持ち上がりを可及的に防止し、止水パネルの下方水密部材３と床面ＦＬとの水密状態を維持する。
【００３０】
止水パネルを取り付けた状態において、ベルト６は、ベルトのガイド受部６０によって折り曲げられた状態（第２面部１１に沿って開口幅方向に延びる第１部分６Ａと、第２面部１１から離間するように室内側へ向かって延びる第２部分６Ｂ）で緊張状態にあり、掛止部７の第１片７０は、第２部分６Ｂと直線状にある。第１部分６Ａは、締め具８に連結された側が第２面部１１の外側に位置し、ベルトのガイド受部６０に近い側が第２面部１１の内側に位置しており、留め具８を締め付けてベルト６を引っ張る力を、止水パネルの側方水密部材２及び当接部材４を縦枠１９の第１見付面１９０に押し付ける力として良好に作用させる。
【００３１】
止水パネルを取り付けた状態において、掛止部７の第２片７１と、扉体１７の戸尻側縦框１７１の室外側見付面１７１０（開口部全閉時）、及び、戸先側縦框１７０の室外側見付面１７００（開口部全開時）、との間には隙間が存在しており、掛止部７が妨げとなることなく、扉体１７の開閉が可能であり、建物開口部を開放して止水パネルを跨いで出入りすることができる。
【００３２】
図１１〜図１３を参照しつつ、本実施形態に係る止水パネルの第２の取付態様について説明する。第２の取付態様において、止水パネルは、２枚の扉体１７からなる両開きドアによって開閉される建物開口部の下方部位の室外側に設置される。建物開口部は、左右の壁ないし固定パネル１８の端部に設けた左右の縦枠１９間に形成されている。縦枠１９は、断面視方形状を有しており、室外側に面する第１見付面１９０、室内側に面する第２見付面１９１、見込面１９２を備えている。
【００３３】
２枚の扉体１７は、戸先側縦框においてピボット軸Ｐを中心として回動可能に装着されており、室内側に向かって回動することで、建物開口部を開放する。建物開口部全閉状態では、２枚の扉体１７は開口幅方向に沿って延び、２枚の扉体１７の戸先側縦框１７０が接触しており、各扉体１７の戸尻側縦框１７１の戸尻側見込面１７１１は、縦枠１９の見込面１９２に隙間を存して近接している。建物開口部全開状態では、各扉体１７は室内側にほぼ９０度回動することで、開口幅方向に対して垂直姿勢の左右の扉体１７間に開口部が形成される。この時、各扉体１７の戸尻側縦框１７１の戸尻側見込面１７１１は、縦枠１９の第１見付面１９０よりも室外側に位置している（図１２、図１３参照）。
【００３４】
止水パネルのパネル本体１は、建物開口部の開口幅寸法よりもやや大きい幅寸法を備えており、建物開口部の室外側に位置して、左右の縦枠１９間に取り付けられる。図１２に示すように、パネル本体１の第２面部１１の幅方向両端には、高さ方向に亘って断面視方形状のスペーサ９が固定されている。スペーサ９は、パネル本体１の第２面部１１に対向する第１見付面９０と、反対側の第２見付面９１と、内側の第１見込面９２と、外側の第２見込面９３と、を備えている。スペーサ９の第１見込面９２と縦枠１９の見込面１９２は同一垂直面上にある。スペーサ９は、第１見付面９０とパネル本体１の第２面部１１との間に防水用ゴムシート（図示せず）を挟んで第２面部１１に固定されている。スペーサ９の下端面はプレート（図１１〜図１３には図示せず）で閉塞されており、かつ、防水用ゴム（図１１〜図１３には図示せず）が、下方水密部材３と側方水密部材２の下端との間を塞ぐように設けてある。スペーサ９の第２見付面９１に側方水密部材２及び当接部材４が設けてある。側方水密部材２及び当接部材４の説明については、既述の記載を援用することができる。側方水密材２及び当接部材４を、第２面部１１からスペーサ９を介して持ち出し状に設けることで、建物開口部の室外側下方部位に止水パネルを取り付けた状態において、扉体１７の戸尻側縦框１７１の回動スペースを確保している。図１２、図１３において、戸尻側縦框１７１の戸尻側見込面１７１１がさらに室外側に突出するような場合であっても、扉体１７の戸尻側縦框１７１の回動が可能となっている。
【００３５】
止水パネルは、下面１３の下方水密部材３を床面ＦＬに圧接した状態で、第２面部１１の幅方向両端部に（スペーサ９を介して）設けた側方水密部材２を、建物開口部左右の縦枠１９の第１見付面１９０に接触させ、固定手段５の掛止部７の第１片７０を縦枠１９の見込面１９２に接触ないし近接させると共に、第２片７１を縦枠１９の第２見付面１９１に接触させることで、当該掛止部７を縦枠１９の室内側の角部に掛止させた状態（この時、ベルト６は緩んでいる）から、留め具８の回動操作レバー８１を回動して、ベルト６を引っ張って緊張させた状態で締め付けて固定する。
【００３６】
掛止部７が縦枠１９の室内側の角部に掛止した状態で、ベルト６を引っ張ることで、縦枠１９に対してパネル本体１が押圧され、側方水密部材２は縦枠１９の第１見付面１９０に圧接され、側方水密部材２が圧縮されることで、第２面部１１に側方水密部材２に隣接して（スペーサ９を介して）設けた当接部材４のズレ止め部材４１が縦枠１９の第１見付面１９０に圧接される（図１３参照）。止水パネルを取り付けた状態において、当接部材４のズレ止め部材４１が縦枠１９の第１見付面１９０に圧接されることで、止水パネルの持ち上がりを可及的に防止し、止水パネルの下方水密部材３と床面ＦＬとの水密状態を維持する。
【００３７】
止水パネルを取り付けた状態において、ベルト６は、ベルトのガイド受部６０によって折り曲げられた状態（見付方向に延びる第１部分６Ａと見込方向に延びる第２部分６Ｂ）で緊張状態にあり、掛止部７の第１片７０は、第２部分６Ｂと直線状にある。第１部分６Ａは、締め具８に連結された側が第２面部１１の外側に位置し、ベルトのガイド受部６０に近い側が第２面部１１の内側に位置しており、留め具８を締め付けてベルト６を引っ張る力を、止水パネルの側方水密部材２及び当接部材４を縦枠１９の第１見付面１９０に押し付ける力に良好に作用させる。
【００３８】
止水パネルを取り付けた状態において、扉体１７の戸尻側縦框１７１の戸尻側見込面１７１１と、掛止部７の第１片７０との間には隙間が存在しており、さらに、第２面部１１と建物開口部との間には、扉体１７の戸尻側縦框１７１の回動スペースが形成されていることから、扉体１７の開閉が可能であり、建物開口部を開放して止水パネルを跨いで出入りすることができる。
【００３９】
図１４〜図２１を参照しつつ、止水パネルの他の実施形態について説明する。図１４〜図２１において、上述の実施形態における要素と同等の要素については同一の参照番号が付してあり、同一の参照番号が付された要素の説明については、上述の記載を適宜援用することができる。
【００４０】
図１４〜図２１に示す止水パネルの基本構成は、上述の止水パネルと同様であって、第１面部１０、第２面部１１、上面１２、下面１３、左右の側面１４を備えたパネル本体１と、パネル本体１の第２面部１１の幅方向両端部位に設けた左右の側方水密部材２と、パネル本体１の下面１３に設けた下方水密部材３と、パネル本体１の第２面部１１の幅方向両端にそれぞれ設けた固定手段５と、を備えており、止水パネルは、下方水密部材３を床面に圧接し、固定手段５の掛止部７を建物開口部両端の縦枠１９の室内側角部に掛止させた状態で、固定手段５の締め具８によってベルト６を引張することで、側方水密部材２を縦枠１９の第１見付面１９０に圧接した状態で、建物開口部の室外側下方部位に取り付けられる。
【００４１】
図１６に示すように、本実施形態の側方水密部材２は、断面視概略三角形状を備えた長尺部材であり、底面２０、立ち上がり面２１、傾斜面２２、上端面２３及び下端面２４（図１５（Ｂ）参照）を備えており、底面２０を第２面部１１に当接させて取り付けられており、立ち上がり面２１と傾斜面２２で形成される鋭角（図示の例では４５度）の先端部が縦枠１９の第１見付面１９０との圧接部となっている。側方水密部材２は、例えば、両面接着テープあるいは／および接着剤を用いて固定される。
【００４２】
図１５に示すように、本実施形態の下方水密部材３は、上面３０、垂下面３１、傾斜面３２、左右の側端面３３（図１４参照）を備えており、上面３０をパネル本体１の下面１３に当接させて取り付けられており、垂下面３１と傾斜面３２で形成される鋭角（図示の例では４５度）の下端部が床面ＦＬとの圧接部となっている。図１５（Ｃ）に示すように、パネル本体１の第２面部１１の下端は、下面１３を超えて下方に突出して垂下片１１０を形成しており、垂下片１１０は、下方水密部材３の垂下面３１の上半部に当接している。下方水密部材３は、例えば、両面接着テープあるいは／および接着剤を用いて固定される。
【００４３】
図１５（Ｂ）に示すように、パネル本体１の第２面部１１の幅方向両端部には、全高に亘って側方水密部材２が突設されており、さらに、側方水密部材２の下端面２４は、パネル本体１の下面１３を超えて下方に突出している。パネル本体１の下面１３には、全幅に亘って下方水密部材３が設けてある。側方水密部材２の下端面２４と下方水密部材３の先端部（垂下面３１と傾斜面３２で形成される下端部）は同一水平面上にあり、側方水密部材２の側端部（底面２０と傾斜面２２で形成される開口幅方向の外方の端部）と下方水密部材３の側端面３３は同一垂直面上にある。側方水密部材２の下方の突出部の底面２０と下方水密部材３の長さ方向両端部の垂下面３１は接触ないし近接しており、止水パネルは、幅方向両端の側方水密部材２及び下端の下方水密部材３によって三方において水密部材が連続状に設けてある。側方水密部材２、下方水密部材３は、弾性部材であり、止水パネルの取付時の押圧力である程度圧縮され、圧縮状態で縦枠１９の第１見付面１９０、床面ＦＬに密着して水密構造を提供する。なお、通常時（外力が作用しない状態）において、側方水密部材２の下方の突出部の底面２０と下方水密部材３の長さ方向両端部の垂下面３１が近接（僅かに離間している）している態様であっても、床面ＦＬに圧接された状態では、側方水密部材２及び下方水密部材３が弾性変形して密着状態となる。
【００４４】
パネル本体１の第２面部１１の幅方向両端部には、側方水密部材２の内側（開口幅方向端部から離間する側）、すなわち、立ち上がり面２１に隣接して、側方水密部材２よりも低い突出寸法の当接部材４が突設されている。当接部材４は、第２面部１１に固定されたベース４０と、ベース４０の前面に設けたズレ止め部材（本実施形態では、ズレ止め緩衝ゴム）４１からなる。ズレ止め部材４１は、縦枠１９の第１見付面１９０に圧接ないし密着した時に、密着力ないし摩擦力によって、縦枠１９の第１見付面１９０に対する止水パネルの持ち上がりを防止する。ズレ止め部材４１は典型的には弾性を備えているが、当接部材４のベース４０は非弾性部材であり、止水パネルの取り付け時の押圧力によって圧縮されない。なお、当接部材４は、ベース４０の側面が側方水密部材２の立ち上がり面２１に接触することで、側方水密部材２の倒れ防止の役割も有する。当接部材４のベース４０は、例えば、螺子によってパネル本体１の第２面部１１に固定される。
【００４５】
図１４に示すように、パネル本体１の第２面部１１は、高さ方向の２箇所（各パネル１Ａ、１Ｂの高さ方向中間部位）において幅方向に亘って切り欠かれており横長の開口１６が形成されている。ベルトのガイド受部６０は、方形状のプレート６００と、プレート６００の縦縁（締め具８から離間する側）を立ち上がり状に折曲形成してなるガイド片６０１´と、からなり、開口１６を跨ぐように第２面部１１に固定されている。ガイド片６０１´の外側には、ベルト６が案内される隙間６０２が形成されている。図１５（Ｃ）に示すように、プレート６００は、第２面部１１と略面一となるように取り付けられている。
【００４６】
開口１６の長さ方向（建物開口幅方向）両端部には、開口１６を塞ぐように第２面部１１と面一で方形状の塞ぎプレート１６０が固定されている。開口１６が形成された高さ部位において、側方水密部材２は、塞ぎプレート１６０に接触している。開口１６が形成された高さ部位において、当接部材４のベース４０は、塞ぎプレート１６０に部分的に接触している。塞ぎプレート１６０とガイド受部６０のガイド片６０１´は離間しており、ベルト６が案内される隙間６０２が形成されている。
【００４７】
固定手段５のベルト６は、締め具８からパネル本体１の幅方向端部に向かって、横長の開口１６に沿ってパネル本体１の幅方向に延び、ベルトのガイド受部６０のプレート６００の裏側を通って、ガイド片６０１´に掛け回され、ガイド片６０１´によって、パネル本体１の第２面部１１から離れる方向に引き出されて延びる。
【００４８】
ベルト６の第１端部に連結された掛止部７は、基端がベルト６の第１端部に連結された第１片７０と、第１片７０の延びる方向に対して垂直状に延びる第２片７１と、を備え、略Ｌ形状に形成されており、いわば引掛金具を構成している。第１片７０、第２片７１は共に所定幅を備えた板状体であり、第２片７１の内面には、滑り止め要素（本実施形態では、滑り止めゴム）７２が設けてある。
【００４９】
より具体的には、第１片７０、第２片７１は共に所定幅を備えた板状体であり、図１６に示すように、第１片７０を通る第１面Ｐ１と第２片７１を通る第２面Ｐ２は直交している。第１片７０を通る第１面Ｐ１に対して第１側に第２片７１が形成されており、第１片７０の先端部７００は、第１片７０に対して第２側に傾斜状に延びており、第２片７１の基端部７１０は、第１面Ｐ１を越えて第２側に延びており、第１片７０の先端部７００と第２片７１の基端部７１０が接続されている。このように、第１片７０と第２片７１で形成される角部において、第１片７０の傾斜状の先端部７００と第２片７１の基端部７１０からＶ形状の突出部が突成されており、掛止部７の内側には、第１面Ｐ１の第２側に位置して空間Ｓが形成されている。
【００５０】
止水パネルのパネル本体１は、建物開口部の開口幅寸法よりもやや大きい幅寸法を備えており、建物開口部の室外側に位置して、左右の縦枠１９間に当該縦枠１９を跨ぐように取り付けられる。止水パネルは、下面１３の下方水密部材３を床面ＦＬに圧接した状態で、第２面部１１の幅方向両端部に設けた側方水密部材２を、建物開口部左右の縦枠１９の第１見付面１９０に当接させ（この状態では、当接部材４と第１見付面１９０は離間している）、固定手段５の掛止部７の第１片７０を縦枠１９の見込面１９２に近接させると共に、第２片７１を縦枠１９の第２見付面１９１に当接させることで、当該掛止部７を縦枠１９の室内側の角部に掛止させた状態（この時、ベルト６は緩んでいる）とし、その状態から、留め具８の回動操作レバー８１を回動して、ベルト６を引っ張って緊張状態に締め付けて固定する。
【００５１】
掛止部７が縦枠１９の室内側の角部（第２見付面１９１と見込面１９２で形成される）に掛止した状態で、ベルト６を引っ張ることで、縦枠１９に対してパネル本体１が押圧され、側方水密部材２は縦枠１９の第１見付面１９０に圧接され、側方水密部材２が圧縮変形することで、第２面部１１に側方水密部材２に隣接して設けた当接部材４のズレ止め部材４１が縦枠１９の第１見付面１９０に圧接される（図１７参照）。また、下方水密部材３の垂下面３１の上端部は内側（室内側）からパネル本体１の垂下片１１０によって支持されているので、止水パネルが取り付けられた状態において（下方水密部材３が圧縮されて、垂下片１１０は床面ＦＬに近接している）、水圧で下方水密部材３が押されて、床面ＦＬとの間に隙間が生じすることを可及的に防止している。
【００５２】
止水パネルが取り付けられた状態において、側方水密部材２の先端部（立ち上がり面２１と傾斜面２２で形成される鋭角の先端部）が縦枠１９の第１見付面１９０に対して圧接状態にあり、下方水密部材３の下端部（垂下面３１と傾斜面３２で形成される鋭角の下端部）が床面ＦＬに対して圧接状態にあるが、本実施形態では、断面視三角形状の頂部から圧接部を形成したことによって、より軽い力で被当接面（第１見付面１９０、床面ＦＬ）との間で圧接状態ないし密着状態を得ることができ、隙間の発生を可及的に防止する。また、被当接面（第１見付面１９０、床面ＦＬ）が不陸（凹凸を有する等）の場合にも良好に対応できる。さらに、止水パネルを取り付けた状態では、当接部材４のズレ止め部材４１が縦枠１９の第１見付面１９０に圧接されているので、止水パネルの持ち上がりを可及的に防止し、止水パネルの下方水密部材３と床面ＦＬとの水密状態を維持する。
【００５３】
図１７に示すように、止水パネルが取り付けられた状態において、掛止部７の第２片７１が滑り止め要素７２を介して縦枠１９の第２見付面１９１に当接しており、縦枠１９の第２見付面１９１と見込面１９２とで形成される角部は空間Ｓに対向している。出願人が鋭意研究したところ、図５に示す形状の掛止部７に比べて、本実施形態の形状の掛止部７を用いた方が縦枠１９から外れ難いことがわかった。また、角が出ているような縦枠（方立て）に対しても、空間Ｓによって掛止部７と角との干渉を防止して良好に掛止することができる。
【００５４】
図１７に示すように、止水パネルが取り付けられた状態において、ベルト６の第２部分６Ｂ（第２面部１１から離間するように室内側へ向かって延びる）と掛止部７の第１片７０は直線状にあり、かつ、縦枠１９の見込面１９２に沿って延びている。より安定した掛止状態を得るためには、このように、第２部分６Ｂと第１片７０が縦枠１９の見込面１９２に沿って延びることが望ましいが、そのためには、ガイド受部６０のガイド片６０１´と縦枠１９の見込面１９２との位置関係が重要である。実際の現場では寸法誤差もあり、掛止部７は左右両側に存在することから、そのためには、ガイド受部６０のガイド片６０１´と縦枠１９の見込面１９２との位置関係が設計通りではない場合もある。この場合、ベルト６の第２部分６Ｂ及び掛止部７の第１片７０を、縦枠１９の見込面１９２に沿って延びるように配置するためには、縦枠１９の見込面１９２を延長した仮想面とパネル本体１の第２面部１１が交わる位置にベルト６の第２部分６Ｂの基端を位置させる必要がある。また、図示の例では、止水パネルの取付状態において、パネル本体１の第２面部１１と縦枠１９の見込面１９２は垂直状に延びているが、実際の現場では、縦枠１９の見込面１９２が第２面部１１に対して僅かに斜めに延びることも起こり得るが、この場合も、ベルト６の第２部分６Ｂ及び掛止部７の第１片７０を、縦枠１９の見込面１９２に沿って延びるように配置するためには、縦枠１９の見込面１９２を延長した仮想面とパネル本体１の第２面部１１が交わる位置にベルト６の第２部分６Ｂの基端を位置させる必要がある。そこで、ガイド受部６０のガイド片６０１´の位置を、パネル本体１の幅方向において調節可能とすることで、現場における位置調整を可能とすることが有利である。例えば、プレート６００をパネル本体１の第２面部１１に固定する螺子をプレート６００に形成した横長孔（図示せず）を介して取り付けるようにすることで、横長孔の範囲内でプレート６００（ガイド片６０１´）の取付位置を可変とすることができる。
【００５５】
図１８に止水パネルの第１の取付態様を示す。第１の取付態様において、止水パネルは、２枚のスライド扉体１７からなる自動ドアによって開閉される建物開口部の下方部位の室外側に設置される。止水パネルが取り付けられる縦枠１９は、断面視方形状を有しており、室外側に面する第１見付面１９０、第１見付面１９０と反対側の第２見付面１９１、見込面１９２を備えている。建物開口部全閉状態では、各扉体１７の戸尻側縦框１７１の室外側見付面１７１０と、縦枠１９の第２見付面１９１が、隙間を存して対向離間している。建物開口部全開状態では、各扉体１７の戸先側縦框の室外側見付面（図１８では図示せず）と、縦枠１９の第２見付面１９１は、隙間を存して対向離間することになる。止水パネルを取り付けた状態において、縦枠１９の第２見付面１９１に掛止した掛止部７の第２片７１と、扉体１７の戸尻側縦框１７１の室外側見付面１７１０（開口部全閉時）、及び、戸先側縦框の室外側見付面（開口部全開時）、との間には隙間が存在しており、掛止部７が妨げとなることなく、扉体１７の開閉が可能であり、建物開口部を開放して止水パネルを跨いで出入りすることができる。なお、止水パネルの第１の取付態様の詳細については、図８〜図１０、図１７に関連する記載を援用することができる。
【００５６】
図１９〜図２１に止水パネルの第２の取付態様を示す。第２の取付態様において、止水パネルは、２枚の扉体１７からなる両開きドアによって開閉される建物開口部の下方部位の室外側に設置される。止水パネルが取り付けられる縦枠１９は、断面視方形状を有しており、室外側に面する第１見付面１９０、室内側に面する第２見付面１９１、見込面１９２を備えている。パネル本体１の第２面部１１の幅方向両端には、高さ方向に亘って断面視方形状のスペーサ９が固定されている。スペーサ９は、パネル本体１の第２面部１１に対向する第１見付面９０と、反対側の第２見付面９１と、内側の第１見込面９２と、外側の第２見込面９３と、上端の上面９４と、下端の下面９５と、を備えている。スペーサ９の上面９４とパネル本体１の上面１２の高さ位置、スペーサ９の下面９５とパネル本体１の下面１３の高さ位置は一致しており、スペーサ９とパネル本体１の高さ寸法は略同一である。スペーサ９は、第１見付面９０とパネル本体１の第２面部１１との間に防水用ゴムシート（図示せず）を挟んで第２面部１１に固定されている。
【００５７】
スペーサ９の第２見付面９１に側方水密部材２及び当接部材４が設けてある。側方水密部材２及び当接部材４の説明については、既述の記載を適宜援用することができる。側方水密材２及び当接部材４を、第２面部１１からスペーサ９を介して持ち出し状に設けることで、建物開口部の室外側下方部位に止水パネルを取り付けた状態において、扉体１７の戸尻側縦框１７１の回動スペースを確保している。
【００５８】
図２１（Ａ）に示すように、スペーサ９の第２見付面９１には全高に亘って側方水密部材２が突設されており、さらに、側方水密部材２の下端面２４は、スペーサ９の下面９５及びパネル本体１の下面１３を超えて下方に突出している。パネル本体１の下面１３には、全幅に亘って下方水密部材３が設けてある。側方水密部材２の下端面２４と下方水密部材３の下端部は一致しており、側方水密部材２の側端部（底面２０と傾斜面２２で形成される端部）と下方水密部材３の側端面３３は一致している。
【００５９】
図２０、図２１に示すように、スペーサ９の下端はプレート９５０で閉塞されて下面９５が形成されており、下面９５には、中間下方水密部材３´が、側方水密部材２の下端部と下方水密部材３の長さ方向端部との間の空間を塞ぐように設けてある。中間下方水密部材３´は、側方水密部材２、下方水密部材３と同等の材質から形成されており、例えば、シリコーンスポンジ、クロロプレンゴム、ＥＰＤＭ等から形成することができる。中間下方水密部材３´は、上面３０´、垂下面３１´、傾斜面３２´と、側端面３３´を備えており、上面３０´をスペーサ９の下面９５に当接させて取り付けられており、垂下面３１´と傾斜面３２´で形成される鋭角の先端部が床面ＦＬとの圧接部となっている。中間下方水密部材３´は、例えば、両面接着テープあるいは／および接着剤を用いて固定される。
【００６０】
図２０、図２１（Ｂ）に示すように、中間下方水密部材３´の上面３０´の幅寸法は、スペーサ９の下面９５の幅寸法の略半分であり、上面３０´は、下面９５の外側の半部に取り付けられている。スペーサ９の下面９５の内側の半部には、中間下方水密部材３´の倒れ防止部材９６が設けてある。倒れ防止部材９６は、ベース９６０と、垂下片９６１から断面視Ｌ形状のアングル材であり、ベース９６０をスペーサ９の下面９５の内側の半部に固定（例えば、螺子によって）することで、下面９５に取り付けられている。垂下片９６１の寸法は、中間下方水密部材３´の垂下面３１´の略半分であり、垂下面３１´の上半部に当接している。
【００６１】
図２０に示すように、側方水密部材２の側端部（底面２０と傾斜面２２で形成される端部）、下方水密部材３の側端面３３、中間下方水密部材３´の側端面（上面３０´と傾斜面３２´で形成される端部）は一致している。図２１（Ａ）に示すように、側方水密部材２の下端面２４、下方水密部材３の下端部、中間下方水密部材３´の下端部は一致している（同一水平面上に位置している）。側方水密部材２の下方の突出部の底面２０と中間下方水密部材３´の一方の側端面３３´は接触しており、中間下方水密部材３´の他方の側端面３３´と下方水密部材３の垂下面３１は接触ないし近接している。止水パネルは、幅方向両端にスペーサ９を介して設けた側方水密部材２、下端の下方水密部材３、スペーサ９の下面の中間下方水密部材３´によって三方（左右の側部、下部）において水密部材が連続状に設けてある。側方水密部材２、下方水密部材３、中間下方水密部材３´は、弾性部材であり、止水パネルの取付時の押圧力である程度圧縮され、圧縮状態で縦枠１９の第１見付面１９０、床面ＦＬに密着して水密構造を提供する。なお、通常時（外力が作用しない状態）において、側方水密部材２の下方の突出部の底面２０と中間下方水密部材３´の側端面３３´が近接（僅かに離間している）している態様であっても、床面ＦＬに圧接された状態では、側方水密部材２及び中間下方水密部材３´が弾性変形して密着状態となる。
【００６２】
止水パネルは、パネル本体１の下面１３の下方水密部材３及びスペーサ９の下面９５の中間下方水密部材３´を床面ＦＬに圧接した状態で、スペーサ９の第２見付面９１に設けた側方水密部材２を、建物開口部左右の縦枠１９の第１見付面１９０に当接させ、固定手段５の掛止部７の第１片７０を縦枠１９の見込面１９２に近接させると共に、第２片７１を縦枠１９の第２見付面１９１に接触させることで、当該掛止部７を縦枠１９の室内側の角部に掛止させた状態（この時、ベルト６は緩んでいる）から、留め具８の回動操作レバー８１を回動して、ベルト６を引っ張って緊張させた状態で締め付けて固定する。
【００６３】
掛止部７が縦枠１９の室内側の角部に掛止した状態で、ベルト６を引っ張ることで、縦枠１９に対してパネル本体１が押圧され、側方水密部材２は縦枠１９の第１見付面１９０に圧接され、側方水密部材２が圧縮されることで、スペーサ９の第２見付面９１に側方水密部材２に隣接して設けた当接部材４のズレ止め部材４１が縦枠１９の第１見付面１９０に圧接される。止水パネルを取り付けた状態において、当接部材４のズレ止め部材４１が縦枠１９の第１見付面１９０に圧接されることで、止水パネルの持ち上がりを可及的に防止し、止水パネルの下方水密部材３と床面ＦＬとの水密状態を維持する。また、下方水密部材３の垂下面３１の上端部は内側（室内側）からパネル本体１の垂下片１１０によって支持されており、中間下方水密部材３´の垂下面３１´の上半部は内側（室内側）から倒れ防止部材９６の垂下片９６１によって支持されているので、止水パネルが取り付けられた状態において（下方水密部材３、中間下方水密部材３´が圧縮されて、垂下片１１０、９６１は床面ＦＬに近接している）、水圧で下方水密部材３、中間下方水密部材３´が押されて、床面ＦＬとの間に隙間が生じすることを可及的に防止している。
【００６４】
止水パネルを取り付けた状態において、扉体１７の戸尻側縦框１７１の戸尻側見込面１７１１と、掛止部７の第１片７０との間には隙間が存在しており、さらに、第２面部１１と建物開口部との間には、扉体１７の戸尻側縦框１７１の回動スペースが形成されていることから、扉体１７の開閉が可能であり、建物開口部を開放して止水パネルを跨いで出入りすることができる。なお、止水パネルの第２の取付態様の詳細については、図１１〜図１３に関連する記載を援用してもよい。
【符号の説明】
【００６５】
１  パネル本体
１０  第１面部
１１  第２面部
１２  上面
１３  下面
１４  左右の側面
２  側方水密部材
３  下方水密部材
３´  中間下方水密部材
４  当接部材
４０  ベース
４１  ズレ止め部材
５  固定手段
６  ベルト（可撓性長尺部）
６Ａ  第１部分
６Ｂ  第２部分
６０  ガイド受部
６００  プレート（第１ガイド部）
６１０、６０１´  ガイド片（第２ガイド部）
７  掛止部
７０  第１片
７００  先端部
７１  第２片
７１０  基端部
８  締め具
９  スペーサ
１７  扉体
１７１１  戸尻側見込面
１９  縦枠
１９０  第１見付面（室外側見付面）
１９１  第２見付面（室内側見付面）
１９２  見込面
ＦＬ  床面
Ｐ１  第１片７０を通る面
【図１】
0006718250.tif 000002
【図２】
0006718250.tif 000003
【図３】
0006718250.tif 000004
【図４】
0006718250.tif 000005
【図５】
0006718250.tif 000006
【図６】
0006718250.tif 000007
【図７】
0006718250.tif 000008
【図８】
0006718250.tif 000009
【図９】
0006718250.tif 000010
【図１０】
0006718250.tif 000011
【図１１】
0006718250.tif 000012
【図１２】
0006718250.tif 000013
【図１３】
0006718250.tif 000014
【図１４】
0006718250.tif 000015
【図１５】
0006718250.tif 000016
【図１６】
0006718250.tif 000017
【図１７】
0006718250.tif 000018
【図１８】
0006718250.tif 000019
【図１９】
0006718250.tif 000020
【図２０】
0006718250.tif 000021
【図２１】
0006718250.tif 000022